(57)【要約】【課題】発光部材とコリメートレンズの相対位置の調整を容易にすること。【解決手段】発光部９１１を有する発光部材９１、およびこの発光部材９１から出射された光を平行光化するコリメートレンズ９２を備える光学ユニット９０の製造方法であって、重心測定手段１０によって測定されるコリメートレンズ９２を透過した光の光量の重心が、所定位置となるように発光部材９１とコリメートレンズ９２の相対位置を調整する第一工程と、この第一工程後、撮像手段２０によって撮像されるコリメートレンズ９２を透過した光の輪郭が、所定の輪郭となるように発光部材９１とコリメートレンズ９２の相対位置を調整する第二工程と、を含む光学ユニット９０の製造方法とする。【選択図】図１
2015153432.tif 000002
【特許請求の範囲】
【請求項１】
発光部を有する発光部材、およびこの発光部材から出射された光を平行光化するコリメートレンズを備える光学ユニットの製造方法であって、
重心測定手段によって測定される前記コリメートレンズを透過した光の光量の重心が、所定位置となるように前記発光部材と前記コリメートレンズの相対位置を調整する第一工程と、
この第一工程後、撮像手段によって撮像される前記コリメートレンズを透過した光の輪郭が、所定の輪郭となるように前記発光部材と前記コリメートレンズの相対位置を調整する第二工程と、
を含むことを特徴とする光学ユニットの製造方法。
【請求項２】
前記第二工程は、前記コリメートレンズを透過し、複数の撮像手段によって異なる位置で撮像される光の輪郭が、同じ輪郭となるように前記発光部材と前記コリメートレンズの相対位置を調整する工程であることを特徴とする請求項１に記載の光学ユニットの製造方法。
【請求項３】
発光部を有する発光部材と、この発光部材から出射された光を平行光化するコリメートレンズとの相対位置を調整する調整装置であって、
前記コリメートレンズを透過した光の光量の重心を測定する重心測定手段と、
前記コリメートレンズを透過した光の像を撮像する撮像手段と、
を備えることを特徴とする光学ユニットの調整装置。
【請求項４】
前記コリメートレンズを透過した光の像を異なる位置で撮像する複数の前記撮像手段を備えることを特徴とする請求項３に記載の光学ユニットの調整装置。
【発明の詳細な説明】
【技術分野】
【０００１】
本発明は、発光部材とそれから出射された光を平行光化するコリメートレンズを備える光学ユニットの製造方法、および発光部材とコリメートレンズの相対位置を調整する調整装置に関する。
【背景技術】
【０００２】
発光部材とコリメートレンズの相対位置を調整する手法は種々提案されている（例えば下記特許文献１参照）。その一例として、ＣＣＤ等の撮像手段により、コリメートレンズを透過した光の輪郭を撮像し、当該輪郭が所定の形状になるように、発光部材とコリメートレンズの相対位置を調整する手法が挙げられる。
【先行技術文献】
【特許文献】
【０００３】
【特許文献１】特開２００６−２３６２６号公報
【発明の概要】
【発明が解決しようとする課題】
【０００４】
このような撮像手段を用いて調整する手法では、最初のセッティング時における発光部材とコリメートレンズの相対位置が、正しい位置から大きくずれている場合、撮像手段に光の像が全く映らない、光のエッジが認識できないといった状態となり、調整に時間がかかってしまう。撮像手段の撮像可能範囲を大きくする対策も考えられるが、分解能が低下することによって調整の精度が低下してしまうため問題となる。また、撮像手段をコリメートレンズに近づけて設置し、光のエッジが映り込むようにする対策も考えられるが、装置制約上、両者を近づけるのにも限界がある。
【０００５】
本発明は、発光部材とコリメートレンズの相対位置の調整を容易にすることを目的とする。
【課題を解決するための手段】
【０００６】
上記課題を解決するために本発明にかかる光学ユニットの製造方法は、発光部を有する発光部材、およびこの発光部材から出射された光を平行光化するコリメートレンズを備える光学ユニットの製造方法であって、重心測定手段によって測定される前記コリメートレンズを透過した光の光量の重心が、所定位置となるように前記発光部材と前記コリメートレンズの相対位置を調整する第一工程と、この第一工程後、撮像手段によって撮像される前記コリメートレンズを透過した光の輪郭が、所定の輪郭となるように前記発光部材と前記コリメートレンズの相対位置を調整する第二工程と、を含むことを特徴とする。
【０００７】
前記第二工程は、前記コリメートレンズを透過し、複数の撮像手段によって異なる位置で撮像される光の輪郭が、同じ輪郭となるように前記発光部材と前記コリメートレンズの相対位置を調整する工程であるとよい。
【０００８】
本発明にかかる光学ユニットの調整装置は、発光部を有する発光部材と、この発光部材から出射された光を平行光化するコリメートレンズとの相対位置を調整する調整装置であって、前記コリメートレンズを透過した光の光量の重心を測定する重心測定手段と、前記コリメートレンズを透過した光の像を撮像する撮像手段と、を備えることを特徴とする。
【０００９】
前記コリメートレンズを透過した光の像を異なる位置で撮像する複数の前記撮像手段を備えるとよい。
【発明の効果】
【００１０】
本発明によれば、重心測定手段によってコリメートレンズを透過した光の光量の重心が所定位置となるように調整することにより、発光部材とコリメートレンズの大まかな位置合わせをすることができる。かかる大まかな位置合わせを経ると、撮像手段によってコリメートレンズを透過した光の輪郭（エッジ）を簡単に特定することができるため、発光部材とコリメートレンズの相対位置の調整（光学ユニットの製造）が容易になる。
【００１１】
複数の撮像手段によって異なる位置で光を撮像し、当該光の輪郭が同じ輪郭となることをもって平行光化が実現されているという手法とすれば、発光部材とコリメートレンズの相対位置の調整（光学ユニットの製造）を容易かつ正確に行うことができる。
【図面の簡単な説明】
【００１２】
【図１】本発明の一実施形態にかかる光学ユニットの調整装置を模式的に示した図である。
【図２】光学ユニットの製造方法の第一工程（重心測定手段を用いた工程）を説明するための図であって、（ａ）は光量の重心がスポット中央に存在しない状態を、（ｂ）は光量の重心がスポット中央に存在しない状態を示している。
【図３】光学ユニットの製造方法の第二工程（撮像手段を用いた工程）を説明するための図であって、（ａ）は第一撮像手段で撮像される光の輪郭と第二撮像手段で撮像される光の輪郭が一致していない状態を、（ｂ）第一撮像手段で撮像される光の輪郭と第二撮像手段で撮像される光の輪郭が一致している状態を示している。
【発明を実施するための形態】
【００１３】
以下、本発明の実施形態について図面を参照しつつ詳細に説明する。図１に示した本発明の一実施形態にかかる光学ユニットの調整装置１は、相対位置調整手段４０、重心測定手段１０、および撮像手段２０を備える。
【００１４】
調整対象物である光学ユニット９０は、発光部材９１およびコリメートレンズ９２を有する。発光部材９１としては、レーザダイオードのような自ら光を発する発光素子が例示できる。また、光ファイバのような伝送された光を端面から出射する部材であってもよい。つまり、発光部９１１を有するものであればどのようなものであってもよい。コリメートレンズ９２は、発光部材９１の発光部９１１から出射された発散光を平行光化する。発光部材９１とコリメートレンズ９２の相対位置関係が所定の関係にあれば、コリメートレンズ９２に入射した光が平行光化される（以下、コリメートレンズ９２を透過した光が平行光化されるときの相対位置を「正しい」と、平行光化されないときの相対位置を「正しくない」表現する）。
【００１５】
相対位置調整手段４０は、発光部材９１とコリメートレンズ９２の相対位置を任意に調整することができる手段である。発光部材９１およびコリメートレンズ９２の一方を固定し、他方の位置や傾きを調整することができる機構を備えるものであってもよいし、図１に示すように発光部材９１の位置や傾きを変化させることができる発光部材調整機構４１と、コリメートレンズ９２の位置や傾きを変化させることができるレンズ調整機構４２を備えるものであってもよい。これら相対位置調整手段４０（発光部材調整機構４１、レンズ調整機構４２）具体的な構成は特定のものに限定されるわけではないため、詳細な説明を省略する。
【００１６】
重心測定手段１０は、コリメートレンズ９２を透過した光の光量の重心を測定することができる手段である。重心測定手段１０としては、例えば光位置センサ（ＰＳＤ）を適用することができる。本実施形態では、コリメートレンズ９２を透過した光は、コリメートレンズ９２側に設けられた第一ハーフミラー３１に到達し、この第一ハーフミラー３１によって反射した光が重心測定手段１０に入射することになる。
【００１７】
撮像手段２０は、コリメートレンズ９２を透過した光の像（輪郭）を映し出すことができる手段である。撮像手段２０としては、例えばＣＣＤカメラを適用することができる。本実施形態にかかる調整装置１は、二つの撮像手段２０（第一撮像手段２１および第二撮像手段２２）を備える。本実施形態では、コリメートレンズ９２および第一ハーフミラー３１を透過した光が第二ハーフミラー３２に到達し、この第二ハーフミラー３２によって反射した光が、第一撮像手段２１に映し出される。また、第二ハーフミラー３２を透過した光は、全反射ミラー３３（ハーフミラーであってもよい）に到達し、この全反射ミラー３３によって反射した光が、第二撮像手段２２に映し出される。このように、第一撮像手段２１と第二撮像手段２２がコリメートレンズ９２を透過した光を撮像する位置は異なる。したがって、コリメートレンズ９２を透過した光が平行光である場合には、両撮像手段２１、２２で撮像される光の輪郭は全く同じになる。
【００１８】
かかる調整装置１を用いた光学ユニット９０の製造方法（発光部材９１とコリメートレンズ９２の相対位置の調整方法）は以下の通りである。まず、発光部材９１とコリメートレンズ９２を相対位置調整手段４０にセットし、発光部材９１の発光部９１１から光を出射させる。
【００１９】
発光部材９１とコリメートレンズ９２の光軸がずれている場合、図２（ａ）に示すようにコリメートレンズ９２を透過した重心測定手段１０によって測定される光の光量の重心Ｃが、スポット中央に存在しない（光量の正規分布のピーク値が中央に存在しない）状態となる。したがって、第一工程では、相対位置調整手段４０を操作し、発光部材９１およびコリメートレンズ９２の少なくともいずれか一方の位置を変化させることで、図２（ｂ）に示すように光の光量の重心Ｃがスポット中央に位置するように両者の相対位置を調整する。
【００２０】
発光部材９１とコリメートレンズ９２の光軸が一致しているとしても、発光部材９１とコリメートレンズ９２の距離が正しくない場合、コリメートレンズ９２を透過した光は発散光または集束光となる。このような場合、図３（ａ）に示すように第一撮像手段２１によって撮像される光の輪郭と、第二撮像手段２２によって撮像される光の輪郭は異なるものとなる。したがって、第二工程では、相対位置調整手段４０を操作し、発光部材９１およびコリメートレンズ９２の少なくともいずれか一方の位置を変化させることで、図３（ｂ）に示すように両撮像手段２１、２２によって撮像される光の輪郭が一致するように（像の形状が所定形状Ｆとなるように）両者の相対位置を調整する。具体的には、光の像の中心座標と、像のエッジが一致するように両者の相対位置を調整する。
【００２１】
第二工程後、発光部材９１とコリメートレンズ９２の相対位置を固定しながら、光学ユニット９０を構成するその他の部材に組み付ける。例えば、発光部材９１とコリメートレンズ９２（を有する光学部材）の双方が基板に固定される光学ユニット９０であれば、発光部材９１とコリメートレンズ９２の双方を基板に固定することで、両者の相対位置が正しい関係にある光学ユニット９０が得られる。
【００２２】
以上説明した本実施形態にかかる光学ユニットの調整装置１（光学ユニット９０の製造方法）によれば、重心測定手段１０によってコリメートレンズ９２を透過した光の光量の重心が所定位置となるように調整することにより、発光部材９１とコリメートレンズ９２の大まかな位置合わせをすることができる。かかる大まかな位置合わせを経ると、光の輪郭が撮像手段２０によって特定できないくらい正しい位置から大きくずれた状態であることはほとんどなくなるから、撮像手段２０によってコリメートレンズ９２を透過した光の輪郭（エッジ）を簡単に特定することができる。そのため、発光部材９１とコリメートレンズ９２の相対位置の調整（光学ユニット９０の製造）が容易になる。
【００２３】
また、本実施形態のように、二つの撮像手段２０によって異なる位置で光を撮像し、当該光の輪郭が同じ輪郭となることをもって平行光化が実現されているという手法とすれば、発光部材９１とコリメートレンズ９２の相対位置の調整（光学ユニット９０の製造）を容易かつ正確に行うことができる。なお、撮像手段２０を三つ以上用い、各撮像手段２０によって撮像される光の輪郭が一致するように調整する構成としてもよい。
【００２４】
以上、本発明の実施形態について詳細に説明したが、本発明は上記実施形態に何ら限定されるものではなく、本発明の要旨を逸脱しない範囲で種々の改変が可能である。
【００２５】
上記実施形態にかかる光学ユニットの調整装置１（光学ユニット９０の製造方法）では、複数の撮像手段２０を用いていることを説明したが、撮像手段２０は一つであってもよい。例えば、調整時において、発光部材９１とコリメートレンズ９２の一方の取付位置を正確に決めることができる装置の場合、他方の位置を調整し両者の相対位置が正しい位置となったときに、唯一の撮像手段２０によって撮像される像の輪郭（中心座標とエッジ）は必ず所定の輪郭となるはずである。したがって、当該唯一の撮像手段２０により上記第二工程を行う構成としてもよい。
【符号の説明】
【００２６】
１  光学ユニットの調整装置
１０  重心測定手段
２０  撮像手段
２１  第一撮像手段
２２  第二撮像手段
９０  光学ユニット
９１  発光部材
９１１  発光部
９２  コリメートレンズ
【図１】
2015153432.tif 000003
【図２】
2015153432.tif 000004
【図３】
2015153432.tif 000005